【手続補正書】
【提出日】平成26年11月13日(2014.11.13)
【手続補正１】
【補正対象書類名】特許請求の範囲
【補正対象項目名】全文
【補正方法】変更
【補正の内容】
【特許請求の範囲】
【請求項１】
可変表示を実行して表示結果を導出し、当該表示結果として予め定められた特定表示結果を導出したときに、遊技者にとって有利な特定状態になる遊技機であって、
未だ開始されていない可変表示について保留情報を記憶する保留記憶手段と、
前記保留記憶手段に前記保留情報が記憶されることに基づいて特定表示を表示する特定表示手段と、
前記特定表示の表示態様を制御する表示態様制御手段と、を備え、
前記表示態様制御手段は、前記特定表示の表示態様を変化させることが可能であり、
前記特定表示の表示態様には、通常態様と、前記通常態様とは異なる特殊態様と、前記通常態様及び前記特殊態様とは異なる予告態様と、が含まれ、
前記表示態様制御手段は、前記特定表示の表示態様が前記通常態様であるときよりも前記特殊態様であるときの方が高い割合で前記特定表示の表示態様を前記予告態様に変化させ、
前記特殊態様には、第１の特殊態様と、前記第１の特殊態様とは異なる第２の特殊態様と、が含まれ、
前記表示態様制御手段は、前記特定表示の表示態様が前記第１の特殊態様であるときと前記第２の特殊態様であるときとで異なる割合で前記特定表示の表示態様を変化させる、
ことを特徴とする遊技機。
【請求項２】
可変表示を実行して表示結果を導出し、当該表示結果として予め定められた特定表示結果を導出したときに、遊技者にとって有利な特定状態になる遊技機であって、
未だ開始されていない可変表示について保留情報を記憶する保留記憶手段と、
前記保留記憶手段に記憶される前記保留情報に対応した保留表示を表示する保留表示手段と、
前記保留表示の表示態様を制御する表示態様制御手段と、を備え、
前記表示態様制御手段は、前記保留表示の表示態様を変化させることが可能であり、
前記保留表示の表示態様には、通常態様と、前記通常態様とは異なる特殊態様と、前記通常態様及び前記特殊態様とは異なる予告態様と、が含まれ、
前記表示態様制御手段は、前記保留表示の表示態様が前記通常態様であるときよりも前記特殊態様であるときの方が高い割合で前記保留表示の表示態様を前記予告態様に変化させ、
前記特殊態様には、第１の特殊態様と、前記第１の特殊態様とは異なる第２の特殊態様と、が含まれ、
前記表示態様制御手段は、前記保留表示の表示態様が前記第１の特殊態様であるときと前記第２の特殊態様であるときとで異なる割合で前記保留表示の表示態様を変化させる、
ことを特徴とする遊技機。
【請求項３】
可変表示を実行して表示結果を導出し、当該表示結果として予め定められた特定表示結果を導出したときに、遊技者にとって有利な特定状態になる遊技機であって、
未だ開始されていない可変表示について保留情報を記憶する保留記憶手段と、
前記保留記憶手段に前記保留情報が記憶されることに基づいて特定表示を表示する特定表示手段と、
前記特定表示の表示態様を制御する表示態様制御手段と、を備え、
前記表示態様制御手段は、前記特定表示の表示態様を変化させることが可能であり、
前記特定表示の表示態様には、通常態様と、前記通常態様とは異なる特殊態様と、前記通常態様及び前記特殊態様とは異なる予告態様と、が含まれ、
前記表示態様制御手段は、前記特定表示の表示態様が前記通常態様であるときよりも前記特殊態様であるときの方が高い割合で前記特定表示の表示態様を前記予告態様に変化させ、
前記特殊態様には、第１の特殊態様と、前記第１の特殊態様とは異なる第２の特殊態様と、が含まれ、
前記表示態様制御手段は、前記特定表示の表示態様が前記第１の特殊態様であるときと前記第２の特殊態様であるときとで他の表示態様のいずれに変化させるかの選択割合が異なるように前記特定表示の表示態様を変化させる、
ことを特徴とする遊技機。
【請求項４】
可変表示を実行して表示結果を導出し、当該表示結果として予め定められた特定表示結果を導出したときに、遊技者にとって有利な特定状態になる遊技機であって、
未だ開始されていない可変表示について保留情報を記憶する保留記憶手段と、
前記保留記憶手段に記憶される前記保留情報に対応した保留表示を表示する保留表示手段と、
前記保留表示の表示態様を制御する表示態様制御手段と、を備え、
前記表示態様制御手段は、前記保留表示の表示態様を変化させることが可能であり、
前記保留表示の表示態様には、通常態様と、前記通常態様とは異なる特殊態様と、前記通常態様及び前記特殊態様とは異なる予告態様と、が含まれ、
前記表示態様制御手段は、前記保留表示の表示態様が前記通常態様であるときよりも前記特殊態様であるときの方が高い割合で前記保留表示の表示態様を前記予告態様に変化させ、
前記特殊態様には、第１の特殊態様と、前記第１の特殊態様とは異なる第２の特殊態様と、が含まれ、
前記表示態様制御手段は、前記保留表示の表示態様が前記第１の特殊態様であるときと前記第２の特殊態様であるときとで他の表示態様のいずれに変化させるかの選択割合が異なるように前記保留表示の表示態様を変化させる、
ことを特徴とする遊技機。
【手続補正２】
【補正対象書類名】明細書
【補正対象項目名】０００７
【補正方法】変更
【補正の内容】
【０００７】
（１）上記目的を達成するため本発明に係る遊技機は、
可変表示（例えば、特別図柄や飾り図柄の可変表示など）を実行して表示結果を導出し、当該表示結果として予め定められた特定表示結果（例えば、大当り図柄となる特別図柄や大当り組合せの確定飾り図柄など）を導出したときに、遊技者にとって有利な特定状態（例えば、大当り遊技状態など）になる遊技機（例えば、パチンコ遊技機１など）であって、
未だ開始されていない可変表示について保留情報を記憶する保留記憶手段（例えば、第１特図保留記憶部及び第２特図保留記憶部など）と、
前記保留記憶手段に前記保留情報が記憶されることに基づいて特定表示（例えば、保留表示図柄など）を表示する特定表示手段（例えば、第１保留表示領域５Ｈａや第２保留表示領域５Ｈｂや今回表示領域５Ｈｃに保留表示図柄を表示する画像表示装置５など）と、
前記特定表示の表示態様を制御する表示態様制御手段（例えば、保留表示図柄の表示色を制御する演出制御用ＣＰＵ１２０など）と、を備え、
前記表示態様制御手段は、前記特定表示の表示態様を変化させることが可能であり（例えば、保留表示図柄の表示色を変化させるなど）、
前記特定表示の表示態様には、通常態様（例えば、青色など）と、前記通常態様とは異なる特殊態様（例えば、白色及び灰色など）と、前記通常態様及び前記特殊態様とは異なる予告態様（例えば、黄色、緑色、赤色、及び、虹色など）と、が含まれ、
前記表示態様制御手段は、前記特定表示の表示態様が前記通常態様であるときよりも前記特殊態様であるときの方が高い割合で前記特定表示の表示態様を前記予告態様に変化させ（例えば、図２５〜図４４の各保留表示パターン決定テーブルや各全期間保留表示パターン決定テーブルにおいて、青色から予告態様の表示色に変化するパターンを含む保留表示パターンや全期間保留表示パターンの決定割合の合計値（又は平均値）よりも、灰色又は白色から予告態様の表示色に変化する態様を含む保留表示パターンや全期間保留表示パターンの決定割合の合計値（又は平均値）それぞれの方が高くなるようにするなど）、
前記特殊態様には、第１の特殊態様（例えば、白色など）と、前記第１の特殊態様とは異なる第２の特殊態様（例えば、灰色など）と、が含まれ、
前記表示態様制御手段は、前記特定表示の表示態様が前記第１の特殊態様であるときと前記第２の特殊態様であるときとで異なる割合で前記特定表示の表示態様を変化させる（例えば、構成１など）、
ことを特徴とする。
【手続補正３】
【補正対象書類名】明細書
【補正対象項目名】０００９
【補正方法】変更
【補正の内容】
【０００９】
（２）上記目的を達成するため本発明に係る遊技機は、
可変表示（例えば、特別図柄や飾り図柄の可変表示など）を実行して表示結果を導出し、当該表示結果として予め定められた特定表示結果（例えば、大当り図柄となる特別図柄や大当り組合せの確定飾り図柄など）を導出したときに、遊技者にとって有利な特定状態（例えば、大当り遊技状態など）になる遊技機（例えば、パチンコ遊技機１など）であって、
未だ開始されていない可変表示について保留情報を記憶する保留記憶手段（例えば、第１特図保留記憶部及び第２特図保留記憶部など）と、
前記保留記憶手段に記憶される前記保留情報に対応した保留表示（例えば、保留表示図柄など）を表示する保留表示手段（例えば、第１保留表示領域５Ｈａや第２保留表示領域５Ｈｂに保留表示図柄を表示する画像表示装置５など）と、
前記保留表示の表示態様を制御する表示態様制御手段（例えば、保留表示図柄の表示色を制御する演出制御用ＣＰＵ１２０など）と、を備え、
前記表示態様制御手段は、前記保留表示の表示態様を変化させることが可能であり（例えば、保留表示図柄の表示色を変化させるなど）、
前記保留表示の表示態様には、通常態様（例えば、青色など）と、前記通常態様とは異なる特殊態様（例えば、白色及び灰色など）と、前記通常態様及び前記特殊態様とは異なる予告態様（例えば、黄色、緑色、赤色、及び、虹色など）と、が含まれ、
前記表示態様制御手段は、前記保留表示の表示態様が前記通常態様であるときよりも前記特殊態様であるときの方が高い割合で前記保留表示の表示態様を前記予告態様に変化させ（例えば、図２５〜図４４の各保留表示パターン決定テーブルにおいて、青色から予告態様の表示色に変化するパターンを含む保留表示パターンの決定割合の合計値（又は平均値）よりも、灰色又は白色から予告態様の表示色に変化する態様を含む保留表示パターンの決定割合の合計値（又は平均値）それぞれの方が高くなるようにするなど）、
前記特殊態様には、第１の特殊態様（例えば、白色など）と、前記第１の特殊態様とは異なる第２の特殊態様（例えば、灰色など）と、が含まれ、
前記表示態様制御手段は、前記保留表示の表示態様が前記第１の特殊態様であるときと前記第２の特殊態様であるときとで異なる割合で前記保留表示の表示態様を変化させる（例えば、構成１など）、
ことを特徴とする。
【手続補正４】
【補正対象書類名】明細書
【補正対象項目名】００１１
【補正方法】変更
【補正の内容】
【００１１】
（３）上記目的を達成するため本発明に係る遊技機は、
可変表示（例えば、特別図柄や飾り図柄の可変表示など）を実行して表示結果を導出し、当該表示結果として予め定められた特定表示結果（例えば、大当り図柄となる特別図柄や大当り組合せの確定飾り図柄など）を導出したときに、遊技者にとって有利な特定状態（例えば、大当り遊技状態など）になる遊技機（例えば、パチンコ遊技機１など）であって、
未だ開始されていない可変表示について保留情報を記憶する保留記憶手段（例えば、第１特図保留記憶部及び第２特図保留記憶部など）と、
前記保留記憶手段に前記保留情報が記憶されることに基づいて特定表示（例えば、保留表示図柄など）を表示する特定表示手段（例えば、第１保留表示領域５Ｈａや第２保留表示領域５Ｈｂや今回表示領域５Ｈｃに保留表示図柄を表示する画像表示装置５など）と、
前記特定表示の表示態様を制御する表示態様制御手段（例えば、保留表示図柄の表示色を制御する演出制御用ＣＰＵ１２０など）と、を備え、
前記表示態様制御手段は、前記特定表示の表示態様を変化させることが可能であり（例えば、保留表示図柄の表示色を変化させるなど）、
前記特定表示の表示態様には、通常態様（例えば、青色など）と、前記通常態様とは異なる特殊態様（例えば、白色及び灰色など）と、前記通常態様及び前記特殊態様とは異なる予告態様（例えば、黄色、緑色、赤色、及び、虹色など）と、が含まれ、
前記表示態様制御手段は、前記特定表示の表示態様が前記通常態様であるときよりも前記特殊態様であるときの方が高い割合で前記特定表示の表示態様を前記予告態様に変化させ（例えば、図２５〜図４４の各保留表示パターン決定テーブルや各全期間保留表示パターン決定テーブルにおいて、青色から予告態様の表示色に変化するパターンを含む保留表示パターンや全期間保留表示パターンの決定割合の合計値（又は平均値）よりも、灰色又は白色から予告態様の表示色に変化する態様を含む保留表示パターンや全期間保留表示パターンの決定割合の合計値（又は平均値）それぞれの方が高くなるようにするなど）、
前記特殊態様には、第１の特殊態様（例えば、白色など）と、前記第１の特殊態様とは異なる第２の特殊態様（例えば、灰色など）と、が含まれ、
前記表示態様制御手段は、前記特定表示の表示態様が前記第１の特殊態様であるときと前記第２の特殊態様であるときとで他の表示態様（例えば、特定表示の表示態様が白色のときには、青色、灰色、黄色、緑色、赤色、及び、虹色など、特定表示の表示態様が灰色のときには、青色、白色、黄色、緑色、赤色、及び、虹色など）のいずれに変化させるかの選択割合が異なるように前記特定表示の表示態様を変化させる（例えば、構成２など）、
ことを特徴とする。
【手続補正５】
【補正対象書類名】明細書
【補正対象項目名】００１３
【補正方法】変更
【補正の内容】
【００１３】
（４）上記目的を達成するため本発明に係る遊技機は、
可変表示（例えば、特別図柄や飾り図柄の可変表示など）を実行して表示結果を導出し、当該表示結果として予め定められた特定表示結果（例えば、大当り図柄となる特別図柄や大当り組合せの確定飾り図柄など）を導出したときに、遊技者にとって有利な特定状態（例えば、大当り遊技状態など）になる遊技機（例えば、パチンコ遊技機１など）であって、
未だ開始されていない可変表示について保留情報を記憶する保留記憶手段（例えば、第１特図保留記憶部及び第２特図保留記憶部など）と、
前記保留記憶手段に記憶される前記保留情報に対応した保留表示（例えば、保留表示図柄など）を表示する保留表示手段（例えば、第１保留表示領域５Ｈａや第２保留表示領域５Ｈｂに保留表示図柄を表示する画像表示装置５など）と、
前記保留表示の表示態様を制御する表示態様制御手段（例えば、保留表示図柄の表示色を制御する演出制御用ＣＰＵ１２０など）と、を備え、
前記表示態様制御手段は、前記保留表示の表示態様を変化させることが可能であり（例えば、保留表示図柄の表示色を変化させるなど）、
前記保留表示の表示態様には、通常態様（例えば、青色など）と、前記通常態様とは異なる特殊態様（例えば、白色及び灰色など）と、前記通常態様及び前記特殊態様とは異なる予告態様（例えば、黄色、緑色、赤色、及び、虹色など）と、が含まれ、
前記表示態様制御手段は、前記保留表示の表示態様が前記通常態様であるときよりも前記特殊態様であるときの方が高い割合で前記保留表示の表示態様を前記予告態様に変化させ（例えば、図２５〜図４４の各保留表示パターン決定テーブルにおいて、青色から予告態様の表示色に変化するパターンを含む保留表示パターンの決定割合の合計値（又は平均値）よりも、灰色又は白色から予告態様の表示色に変化する態様を含む保留表示パターンの決定割合の合計値（又は平均値）それぞれの方が高くなるようにするなど）、
前記特殊態様には、第１の特殊態様（例えば、白色など）と、前記第１の特殊態様とは異なる第２の特殊態様（例えば、灰色など）と、が含まれ、
前記表示態様制御手段は、前記保留表示の表示態様が前記第１の特殊態様であるときと前記第２の特殊態様であるときとで他の表示態様（例えば、特定表示の表示態様が白色のときには、青色、灰色、黄色、緑色、赤色、及び、虹色など、特定表示の表示態様が灰色のときには、青色、白色、黄色、緑色、赤色、及び、虹色など）のいずれに変化させるかの選択割合が異なるように前記保留表示の表示態様を変化させる（例えば、構成２など）、
ことを特徴とする。
【手続補正６】
【補正対象書類名】明細書
【補正対象項目名】００１５
【補正方法】変更
【補正の内容】
【００１５】
（５）上記（１）から（４）の遊技機において、
前記表示態様制御手段が前記特定表示又は前記保留表示の表示態様を前記特殊態様にするときに所定の報知を行う報知手段（例えば、スピーカ８Ｌ、８Ｒなど）をさらに備え、
前記報知手段は、前記表示態様制御手段が前記特定表示又は前記保留表示の表示態様を前記第１の特殊態様にするときと前記第２の特殊態様にするときとで異なる報知を行う（例えば、構成３など）、
ようにしてもよい。
【手続補正７】
【補正対象書類名】明細書
【補正対象項目名】００１７
【補正方法】変更
【補正の内容】
【００１７】
（６）上記（１）から（５）のいずれかの遊技機において、
前記表示態様制御手段は、前記特定表示又は前記保留表示の表示態様が前記第１の特殊態様であるときと前記第２の特殊態様であるときとのうち、当該表示態様が前記第２の特殊態様であるときにのみ、当該表示態様を当該第２の特殊態様から変化させる（例えば、構成４など）、
ようにしてもよい。
【手続補正８】
【補正対象書類名】明細書
【補正対象項目名】００１９
【補正方法】変更
【補正の内容】
【００１９】
（７）上記（１）から（６）のいずれかの遊技機において、
前記表示態様制御手段は、前記特定表示又は前記保留表示の表示態様が前記第１の特殊態様であるときと前記第２の特殊態様であるときとのうち、当該表示態様が前記第２の特殊態様であるときにのみ、当該表示態様を当該第２の特殊態様から第１の特定の表示態様に変化させることが可能である（例えば、構成５など）、
ようにしてもよい。
【手続補正９】
【補正対象書類名】明細書
【補正対象項目名】００２０
【補正方法】変更
【補正の内容】
【００２０】
上記の構成によれば、特定表示又は保留表示の変化を多様化することができ、遊技の興趣が向上する。
【手続補正１０】
【補正対象書類名】明細書
【補正対象項目名】００２１
【補正方法】変更
【補正の内容】
【００２１】
（８）上記（１）から（７）のいずれかの遊技機において、
前記表示態様制御手段は、前記特定表示又は前記保留表示の表示態様を複数のタイミングのいずれかで変化させ、始動領域に遊技媒体が進入した際に前記特定表示又は前記保留表示の表示態様を変化させるタイミングを決定する（例えば、構成６など）、
ようにしてもよい。
【手続補正１１】
【補正対象書類名】明細書
【補正対象項目名】００２２
【補正方法】変更
【補正の内容】
【００２２】
上記の構成によれば、特定表示又は保留表示の表示態様を変化させるタイミングの決定を容易化できる。
【手続補正１２】
【補正対象書類名】明細書
【補正対象項目名】００２３
【補正方法】変更
【補正の内容】
【００２３】
（９）上記（１）から（８）のいずれかの遊技機において、
実行する可変表示の可変表示パターンを決定する可変表示パターン決定手段をさらに備え、
前記表示態様制御手段は、可変表示の実行中に前記特定表示又は前記保留表示の表示態様を変化させるときに、演出の結果として当該表示態様を変化させる作用演出を実行可能であり、前記特定表示又は前記保留表示の表示態様を変化させるときに実行される可変表示の前記可変表示パターンに応じて、前記作用演出の演出態様が異なる又は前記作用演出を実行する割合が異なるように前記作用演出を実行する（例えば、構成７など）、
ようにしてもよい。
【手続補正１３】
【補正対象書類名】明細書
【補正対象項目名】００２４
【補正方法】変更
【補正の内容】
【００２４】
上記の構成によれば、好適な態様で特定表示又は保留表示の表示態様を変化させることができる。
【手続補正１４】
【補正対象書類名】明細書
【補正対象項目名】００２５
【補正方法】変更
【補正の内容】
【００２５】
（１０）上記（１）から（９）のいずれかの遊技機において、
前記表示態様制御手段は、前記特定表示又は前記保留表示の表示態様が前記特殊態様であるときにのみ、当該表示態様を当該特殊態様から第２の特定の表示態様に変化させることが可能である（例えば、構成８など）、
ようにしてもよい。